(57)【要約】【課題】部材を干渉させることなく開閉することができるとともに、簡単な機構により装置の小型化、省スペース化を図る。【解決手段】第１部材３と第２部材４とを開閉可能に支持するヒンジ装置１であって、第１部材３に相互にほぼ平行に形成された第１誘導溝１１及び第２誘導溝１２と、第２部材４に設けられ第１誘導溝１１にスライド自在に係合する第１ピン１３及び第２誘導溝１２にスライド自在に係合する第２ピン１４とを備え、第１誘導溝１１は、第１部材３と第２部材４とを閉塞したときに第１ピン１３を回動可能に当接する第１端部１６を有し、第２誘導溝１２は、第１誘導溝１１の第１端部１６に第１ピン１３が配置されたときに第１ピン１３を中心として第２ピン１４を回動可能に配置できる移動空間が形成された第２端部１７を有している。【選択図】      図１
2013256769.tif 000002
【特許請求の範囲】
【請求項１】
第１部材と第２部材とを開閉可能に支持するヒンジ装置であって、前記第１部材に相互にほぼ平行に形成された第１誘導溝及び第２誘導溝と、前記第２部材に設けられ前記第１誘導溝にスライド自在に係合する第１ピン及び前記第２誘導溝にスライド自在に係合する第２ピンとを備え、前記第１誘導溝は、前記第１部材と第２部材とを閉塞状態としたときに前記第１ピンを回動可能に当接する第１端部を有し、前記第２誘導溝は、前記第１誘導溝の第１端部に前記第１ピンが配置されたときに該第１ピンを中心として前記第２ピンを回動可能に配置できる移動空間が形成された第２端部を有していることを特徴とするヒンジ装置。
【請求項２】
前記第１誘導溝と前記第２誘導溝とは、前記第１端部及び前記第２端部からそれぞれ反対側に向かうにしたがって漸次接近するように配置されていることを特徴とする請求項１記載のヒンジ装置。
【請求項３】
前記第１誘導溝における前記第１端部とは反対側に、前記第１ピンを回動可能に当接する回動端部を有し、前記第２誘導溝における前記第２端部とは反対側に、前記第１ピンが前記回動端部に配置されたときに該第１ピンを中心として前記第２ピンを回動可能に配置できる逃がし溝部が形成されていることを特徴とする請求項１又は２記載のヒンジ装置。
【請求項４】
前記回動端部に、前記第１ピンを前記第１部材から抜き出すことが可能な開放端が接続されるとともに、前記逃がし溝部に、前記第２ピンを前記第１部材から抜き出すことが可能な開放端が接続されていることを特徴とする請求項３記載のヒンジ装置。
【請求項５】
本体部とその前面部を構成するパネル部とを備え、これら本体部とパネル部とのいずれか一方が前記第１部材であり、他方が前記第２部材であり、請求項１〜４のいずれか一項記載のヒンジ装置により開閉可能に支持されてなる筐体。
【発明の詳細な説明】
【技術分野】
【０００１】
本発明は、本体部に対してパネルやカバー等が開閉可能に取り付けられている音響機器、キャビネット、自動車内のコンソールボックスなどに用いられ、第１部材と第２部材とを開閉可能に支持するヒンジ装置に係り、特に、その開閉の支点をスライドすることができるヒンジ装置、及びこのヒンジ装置を用いた筐体に関する。
【背景技術】
【０００２】
本体部に対してパネルやカバー等が開閉可能に取り付けられている音響機器、キャビネット、自動車内のコンソールボックスなどに用いられるヒンジ装置として、その開閉のための支点をスライドできる構成としたものがある。
例えば、特許文献１には、固定体に対して２個のリンクで回動体の回動を案内するスライド蝶番が開示されており、これらリンクを挟むようにねじりばねが設けられ、そのねじりばねの中央部がピンにより支持されている。
また、特許文献２には、２本のガイド溝にピンをそれぞれ係合し、これらのピンに対してガイド溝に沿う直線的な移動とガイド溝内での回動との両方の動きができるようにして、蓋体を本体部に干渉することなく開閉することができるようにした車両用内装部材が開示されている。
【先行技術文献】
【特許文献】
【０００３】
【特許文献１】特開平４−３０９６８１号明細書
【特許文献２】特許第４２０３１９６号公報
【発明の概要】
【発明が解決しようとする課題】
【０００４】
しかしながら、特許文献１に開示のスライド蝶番は、２個のリンクを支持するためのピンの数が多く、構造が複雑である。特許文献２に開示の車両用内装部材は、その公報の図４に示されるように、蓋体を屈曲状態に形成して、本体部との間に大きな空間部を形成しておく必要があり、装置の大型化を招く。
【０００５】
本発明は、このような事情に鑑みてなされたもので、部材を干渉させることなく開閉することができるとともに、簡単な機構により装置の小型化、省スペース化を図ることができるヒンジ装置及びこのヒンジ装置を用いた筐体を提供することを目的とする。
【課題を解決するための手段】
【０００６】
本発明のヒンジ装置は、第１部材と第２部材とを開閉可能に支持するヒンジ装置であって、前記第１部材に相互にほぼ平行に形成された第１誘導溝及び第２誘導溝と、前記第２部材に設けられ前記第１誘導溝にスライド自在に係合する第１ピン及び前記第２誘導溝にスライド自在に係合する第２ピンとを備え、前記第１誘導溝は、前記第１部材と第２部材とを閉塞状態としたときに前記第１ピンを回動可能に当接する第１端部を有し、前記第２誘導溝は、前記第１誘導溝の第１端部に前記第１ピンが配置されたときに該第１ピンを中心として前記第２ピンを回動可能に配置できる移動空間が形成された第２端部を有していることを特徴とする。
【０００７】
このヒンジ装置は、両誘導溝に沿ってピンを移動する前に、第１部材と第２部材との閉塞状態において、第１端部に配置されている第１ピンを中心として第２ピンを第２端部の移動空間内で回動させることが可能であり、これを回動させることにより、第２部材の一端部を第１部材から浮かせるように離間させることができる。したがって、その後のスライド操作を伴う開放操作を両部材を干渉させることなく円滑に行うことができる。この場合、開放操作の最初の段階で両部材の一部を離間させるようにしたので、特許文献２に記載の装置のように両部材の間に予め大きな空間部を形成しておく必要がなく、装置の小型化、省スペース化に有利である。
【０００８】
本発明のヒンジ装置において、前記第１誘導溝と前記第２誘導溝とは、前記第１端部及び前記第２端部からそれぞれ反対側に向かうにしたがって漸次接近するように配置されているとよい。
第１端部及び第２端部では第１ピンを中心として第１部材を回動できるようにしたが、スライド操作時にも回動してしまうと両部材が干渉して開放操作を妨げるおそれがある。本発明のヒンジ装置では、両誘導溝を第１端部及び第２端部から反対側に向かうにしたがって漸次接近するように配置したから、ピンを移動させると、徐々に第２部材が第１部材に対して傾斜することになり、第２部材の不用意な回動を規制して両部材の干渉を防止し、スライド操作を円滑かつ確実に行わせることができる。
【０００９】
本発明のヒンジ装置において、前記第１誘導溝における前記第１端部とは反対側に、前記第１ピンを回動可能に当接する回動端部を有し、前記第２誘導溝における前記第２端部とは反対側に、前記第１ピンが前記回動端部に配置されたときに該第１ピンを中心として前記第２ピンを回動可能に配置できる逃がし溝部が形成されているとよい。
第１部材と第２部材の閉塞状態から第１部材を誘導溝に沿って移動した後、回動端部において第１ピンを中心として回動させることにより、第２部材を第１部材に対して大きく開くことができる。第１部材と第２部材とを大きく離間させた後の回動操作であるので、これらの干渉を防止することができる。
【００１０】
本発明のヒンジ装置において、前記回動端部に、前記第１ピンを前記第１部材から抜き出すことが可能な開放端が接続されるとともに、前記逃がし溝部に、前記第２ピンを前記第１部材から抜き出すことが可能な開放端が接続されているとよい。
第２部材を第１部材に対して大きく開いた後に、第１部材から離脱させることができ、部材相互の干渉を防止するとともに、離脱操作を容易にすることができる。
【００１１】
また、本発明の筐体は、前記ヒンジ装置により、本体部と、その前面部を構成するパネル部とが開閉可能に支持されていることを特徴とする。本体部とパネル部とはいずれかが第１部材であり、他方が第２部材である。
【発明の効果】
【００１２】
本発明によれば、第１部材と第２部材とを干渉させることなく開閉することができるとともに、開放操作の最初の段階で第２部材を第１部材から離間させるように回動させることができるので、特許文献２のような開放操作のための空間部等を形成しておく必要がなく、また２個の誘導溝と２本のピンによる簡単な構成であり、装置の小型化、省スペース化を図ることができる。
【図面の簡単な説明】
【００１３】
【図１】本発明の一実施形態のヒンジ装置を示す正面図である。
【図２】図１のヒンジ装置を有する音響機器であり、ヒンジ装置の部分を破断して示した正面図である。
【図３】図２のヒンジ装置を分解して示す部分斜視図である。
【図４】図２の音響装置の閉塞状態を示すヒンジ装置の部分を拡大した正面図である。
【図５】図２に示す閉塞状態からパネル部を回動させてロック解除した状態を示す図２同様の正面図である。
【図６】図５のヒンジ装置の部分を拡大した正面図である。
【図７】図６に示す状態からピンが円弧溝部を移動している途中の状態を示す正面図である。
【図８】図７に示す状態からピンが直線溝部を移動している途中の状態を示す正面図である。
【図９】図８に示す状態からピンが折り返し溝部を移動している途中の状態を示す正面図である。
【図１０】図９に示す状態からピンが折り返し溝部の端部に配置された状態を示す正面図である。
【図１１】図１０に示す状態から第２ピンを第２誘導溝の開放端から抜き出してパネル部を開いた状態を示す正面図である。
【図１２】図１１に示す状態から第１ピンを第１誘導溝から抜き出す直前の状態を示す正面図である。
【発明を実施するための形態】
【００１４】
以下、本発明の一実施形態を図面を参照しながら説明する。
この実施形態のヒンジ装置１は、図２及び図３に示すように、音響機器の筐体２の本体部３に対して、その前面を構成しているパネル部４を開閉可能に支持するものである。本体部３が本発明の第１部材、パネル部４が第２部材に相当するが、本実施形態では、本体部及びパネル部と称す。
この音響機器は、その筐体２が全体として直方体状に形成され、前面部の所定厚さの部分がパネル部４として本体部３から切り離され、ヒンジ装置１によって開閉可能に支持されるとともに、閉塞状態のときにはロック装置５によって閉塞状態にロックされる構成である。なお、パネル部４には各種操作部、ディスプレー部等を有しており、本体部３とパネル部４とは、着脱可能なケーブルなどによる伝送機構（図示略）によって接続されている。
【００１５】
ロック装置５は、パネル部４に設けられたフック６と、本体部３に設けられたロック片７とを備えており、閉塞状態においてフック６がロック片７に係合されることにより、その閉塞状態がロックされ、このロック状態からロック解除ボタン１０を押下しながらパネル部４の下端部を本体部３に対して若干浮かせるように回動させることにより、そのロック状態が解除される構成である。具体的には、フック６は、通常は弾性体（図示略）により、ロック片７と係合される上方位置に向けて付勢されているとともに、その一部がパネル部４の側面に露出し、パネル部４の側面に設けられるロック解除ボタン１０に接続されている。そして、このロック解除ボタン１０を押下すると、フック６は下方に若干移動し、ロック片７との係合状態から解放される。
【００１６】
このヒンジ装置１は、図１にも示すように、本体部３に形成された第１誘導溝１１及び第２誘導溝１２と、パネル部４に設けられ各誘導溝１１，１２に係合する第１ピン１３及び第２ピン１４とを備えている。
パネル部４に設けられるピン１３，１４は、パネル部４に固定されたステー１５に２本相互に平行に設けられており、図示例では、ステー１５がＬ字状に屈曲形成されており、その先端部に、パネル部４の前面に沿うほぼ上下方向に並んで２本のピン１３，１４が固定されている。これらピン１３，１４の上下方向の離間距離（ピッチ）をＨとする。
【００１７】
両誘導溝１１，１２は、本体部３に固定される樹脂製等のブロック８の表面に形成されている。この場合、ヒンジ装置１としては、本体部３に取り付けられるブラケット９に、２個のブロック８が対向して固定され（図３には一方のブロックのみ示し、他方は省略している）、その対向面に誘導溝１１，１２がミラーで転写して得られる鏡像関係の配置で形成され、その間にステー１５に保持されたピン１３，１４が配置され、これらピン１３，１４の両端部が誘導溝１１，１２に係合する構成である。以下では、両ブロック８の誘導溝１１，１２は鏡像関係であるので、その一方とピン１３，１４との係合状態について説明する。
【００１８】
両誘導溝１１，１２のうち、第１誘導溝１１が第２誘導溝１２よりも上方に配置されており、第１誘導溝１１には、本体部３に対してパネル部４を閉塞状態としたときに、第１ピン１３を配置させる第１端部１６が形成され、第２誘導溝１２には閉塞状態のときに第２ピン１４を配置させる第２端部１７が形成されている。
この場合、第１端部１６及び第２端部１７は、上下方向（垂直方向）に並ぶように本体部３の前面からの距離はほぼ等しく配置され、その上下方向の離間距離は両ピン１３，１４の離間距離と等しく設定されている。また、第１誘導溝１１の第１端部１６は、第１ピン１３を回動自在に当接するように、第１ピン１３の直径とほぼ同じ内径の円弧面状の終端形状をなしており、第２誘導溝１２の第２端部１７は、第１誘導溝１１の第１端部１６で第１ピン１３を中心として回動させたときに、第２ピン１４が移動できる長円形の移動空間を形成している。
【００１９】
そして、第１誘導溝１１は第１端部１６から円弧溝部２１を介して直線溝部２２が連続しており、第２誘導溝１２も第２端部１７から円弧溝部２３を介して直線溝部２４が連続している。これら円弧溝部２１，２３は、いずれも約９０°の中心角で下方から斜め上方に向けて形成されており、この円弧溝部２１，２３が形成されていることにより、各直線溝部２２，２４は第１端部１６又は第２端部１７よりも斜め上方位置に配置される。
【００２０】
第１誘導溝１１の直線溝部２２及び第２誘導溝１２の直線溝部２４は、全体的にはほぼ平行に配置されていると言えるが、わずかに傾斜して配置されている。具体的には、第１誘導溝１１の直線溝部２２は、本体部３の上面あるいは下面と平行なほぼ水平に形成されているのに対して、第２誘導溝１２の直線溝部２４は、第２端部１７から反対側に向かうにしたがって漸次第１誘導溝１１に接近するように例えばθ＝３°程度に傾斜して形成されている。したがって、両直線溝部２２，２４の始端部（円弧溝部との接続部）の上下方向距離は、両ピン１３，１４の上下方向の離間距離Ｈに等しく形成されるが、終端部に向かうにしたがって両直線溝部２２，２４の上下方向距離が漸次小さくなる。両直線溝部２２，２４の傾斜角度θは最大５°で十分である。なお、第１誘導溝１１と第２誘導溝１６とが平行（傾斜角度θ＝０°）であっても、パネル部４は本体部３に干渉することなく円滑に開閉動作を行うことができる。
【００２１】
第１誘導溝１１における第１端部１６とは反対側の端部、及び第２誘導溝１２における第２端部１７とは反対側の端部には、ほぼ１８０°の中心角を有する円弧状の折り返し溝部２５，２６がそれぞれ形成されている。これら折り返し溝部２５，２６は、直線溝部２２，２４から下方に向けて湾曲しており、その端部２７，２８は直線溝部２２，２４の下方に配置される。この場合、第１誘導溝１１における折り返し溝部２５の端部２７は、第１ピン１３の直径とほぼ同じ内径の円弧面状の終端形状に形成されている。第２誘導溝１２における折り返し溝部２６の端部２８も、第２ピン１４の直径とほぼ同じ内径の円弧面状の終端形状に形成されているが、第１誘導溝１１の折り返し溝部２５における端部２７内の第１ピン１３を中心として回動したときに第２ピン１４が移動できる逃がし溝部２９が連続して形成されている。つまり、第１誘導溝１１の折り返し溝部２５における端部２７は、第１ピン１３を回動自在に当接する回動端部とされ（以下、この端部２７を回動端部ということもある）、第２誘導溝１２の逃がし溝部２９は、回動端部２７を中心とする円弧状に形成される。
【００２２】
なお、第２誘導溝１２の折り返し溝部２６は、第１誘導溝１１の折り返し溝部２５よりも本体部３の前面に近く配置されており、したがって、第２誘導溝１２における折り返し溝部２６の端部２８は、第１誘導溝１１における折り返し溝部２５の端部（回動端部）２７よりも、本体部３の前面寄りに配置されている。
また、第２誘導溝１２の逃がし溝部２９は、第２誘導溝１２における折り返し溝部２６の端部２８から反対方向に向かって形成され、本体部３の前端面から抜け出るように延びており、第２ピン１４を第２誘導溝１２から抜き出すことが可能な開放端３０を形成している。
【００２３】
一方、第１誘導溝１１には、折り返し溝部２５に接続されている直線溝部２２の端部付近から逃がし溝部３５が分岐するように形成されている。この逃がし溝部３５は、直線溝部２２の端部から上方に向かって延びる９０°の中心角を有する円弧状に屈曲した屈曲溝部３６と、この屈曲溝部３６から直線溝部２２と平行に延びる直線状の延長溝部３７とを有している。この延長溝部３７は、本体部３の前端面から抜け出るように延びており、第１ピン１３を第１誘導溝１１から抜き出すことが可能な開放端３８を形成している。この開放端３８は、外方に向かうにしたがって漸次幅を大きくするテーパ状に形成されている。
【００２４】
このように構成した筐体２を有する音響機器において、パネル部４を本体部３に対して開く操作、及び本体部３からパネル部４を取り外す操作について説明する。
まず、図２及び図４に示すパネル部４の閉塞状態では、第1ピン１３は第1誘導溝１１の第１端部１６に配置され、第２ピン１４は第２誘導溝１２の第２端部１７に配置されている。フック６は、前述したようにパネル部４の側面下方に一部が露出し、フック６と接続するロック解除ボタン１０を備えている。フック６は、通常は弾性体により上方に位置するように固定されている。
このロック状態から、ロック解除ボタン１０を押下するとフック６は下方に若干移動し、ロック片７との係合状態から解放される。このロック片７から解放された状態を維持しながらパネル部４の下端部を本体部３に対して手前に引きながら若干回動する。このパネル部４を回動すると、図５及び図６に示すように、第１ピン１３を中心として第２ピン１４が第２端部１７の空間部内を移動し、その移動によりパネル部４のフック６が本体部３のロック片７から離間し、ロック装置５の解放状態となる。このロック装置５の解除状態においては、図５に示すようにパネル部４の下端部が本体部３から離間した状態になる。
このように開放操作の最初の段階でパネル部４の下端部を本体部３から離間させることにより、後述するように、その後の開放操作をパネル部４と本体部３との干渉を生じさせることなく円滑に行わせることができる。また、第２端部１７の移動空間は微小な空間であるが、ヒンジ装置１はパネル部４の上部に配置され、フック６はパネル部４の側面下部に配置されている。このように配置することで、第２ピン１４が第２端部１７の空間部を移動する間に、パネル部４の側面下部においては、フック６がロック装置５を解除するのに十分な移動距離を確保することができる。
なお、この図５〜図１０までにおいては、ピン１３，１４を固定しているステー１５を二点鎖線で示す。
【００２５】
次に、パネル部４を持って、これを上方に持ち上げながら手前に向けてスライドすることによりパネル部４の全体を本体部３から離間させる。このとき、図７に示すように、まずパネル部４の両ピン１３，１４が円弧溝部２１，２３内を移動させられることにより、パネル部４は、その上端が本体部３の上端よりも上方に浮かせられるように移動し、上端部も含めて全体が本体部３から離間させられる。
【００２６】
次いで、そのままパネル部４を手前にスライドすると、パネル部４は、本体部３から離間するにしたがって本体部３に対して下端部が持ち上がるように漸次傾斜させられる。つまり、図１に示したように、第１誘導溝１１と第２誘導溝１２との直線溝部２２，２４どうしが第１端部１６及び第２端部１７から反対側に向かうにしたがって漸次接近するように傾斜して配置されているので、図８に示すように、第１ピン１３及び第２ピン１４を円弧溝部２１，２３から各誘導溝１１，１２の直線溝部２２，２４に沿って移動すると、両直線溝部２２，２４の上下方向の離間距離が両ピン１３，１４の上下方向の離間距離Ｈより徐々に小さくなることから、両ピン１３，１４が次第に斜めに配置され、これによりパネル部４は傾斜しながら前方に引き出される。
このように、両誘導溝１１，１２の直線溝部２２，２４を徐々に上下間隔が小さくなるように傾斜させて配置したことから、パネル部４を引き出すにしたがって徐々にパネル部４が傾斜させられ、その不用意な回動を規制して、本体部３への衝突等を生じることなく円滑に引き出すことができる。
【００２７】
次いで、パネル部４を引き出す操作に伴い、図９に示すように、両ピン１３，１４が直線溝部２２，２４から折り返し溝部２５，２６に至ると、パネル部４は、上下方向に対する傾斜角度を若干小さくしながら下方に移動する。この状態では、パネル部４は、本体部３から大きく離間しているので、傾斜角度が小さくなっても（垂直姿勢に近くなっても）本体部３と干渉を生じることはない。
【００２８】
そして、図１０に示すように折り返し溝部２５，２６の下側の端部２７，２８にピン１３，１４が当接すると、パネル部４は、その全体が本体部３から離間しかつわずかに傾斜した状態となる。このとき、両ピン１３，１４が折り返し溝部２５，２６の端部２７，２８に当接しているので、その端部２７，２８にパネル部４の重量が支持され、パネル部４は、その当接位置で保持される。前述したように、折り返し溝部２５，２６の端部２７，２８は、第１誘導溝１１の端部２７より第２誘導溝１２の端部２８が前面寄りに配置されているので、パネル部４はわずかに傾斜した状態に保持される。
【００２９】
次に、この図１０に示す姿勢から、パネル部４の下端部を持ち上げるように上端部を中心として回動すると、第１ピン１３が折り返し溝部２５の回動端部２７内で回動し、第２ピン１４は、折り返し溝部２６の端部２８から反対方向に延びる逃がし溝部２９内を移動して、その開放端３０から引き出される。これにより、図１１に示すように、パネル部４は上端部のみ本体部３に支持され、下端部は自由な状態になる。また、パネル部４の上端部も本体部３から離間しているため、例えば水平に配置しても、本体部３に干渉することはない。
【００３０】
この第２ピン１４を第２誘導溝１２から外した状態でパネル部４の上端部を移動させながら、第１ピン１３を折り返し溝部２５を逆行させるように移動し、次いでパネル部４を浮かせるようにして第１ピン１３を逃がし溝部３５に移行した後、図１２に示すようにパネル部４を手前に引くと、第１ピン１３が逃がし溝部３５内の屈曲溝部３６、延長溝部３７を経由して、先端の開放端３８から引き出され、パネル部４が本体部３から離脱させられる。
この場合は、パネル部４は本体部３に対して第１ピン１３のみによって接続されていて、上下方向等に動き易いが、第１誘導溝１１の開放端３８がテーパー状に形成されていることから、パネル部４を本体部３から円滑に離脱させることができる。
【００３１】
このように、このヒンジ装置１では、特に工具等を用いることなく、パネル部４を本体部３から取り外すことができる。そして、本体部３とパネル部４とを接続状態としているケーブル等の伝送機構を外すことで、本体部４の一面が露出する。作業者は、露出した一面から本体部４の内部構造にアクセスすることができる。なお、伝送機構を無線通信とすることも可能であり、その場合は、取り外したパネル部４を例えば単体で操作して本体部３と情報を伝送するなどの使用形態とすることができる。
また、取り外したパネル部４を本体部３に取り付ける場合は、以上の操作の逆順で行うことにより、簡単に取り付けることができる。
すでに説明したように、このヒンジ装置１は、開放操作の最初の段階でパネル部４の下端部を本体部３から離間させ、その後のパネル部４を持ちながらの開放操作を容易にするとともに、傾斜した直線溝部２２，２４によりパネル部４を徐々に傾斜させながら引き出すことができ、その不用意な回動を規制して本体部３への衝突等を防止することができる。そして、本体部３から十分に引き出した後にパネル部４を大きく開くことが可能になるなど、パネル部４と本体部３との干渉を生じることなく、また工具等を用いることなく開閉操作を円滑に行わせることができる。
また、２個の誘導溝１１，１２と２本のピン１３，１４とからなる簡単な構成であり、小型化、省スペース化を図ることができる。
【００３２】
なお、本発明は上記実施形態に限定されるものではなく、本発明の趣旨を逸脱しない範囲において種々の変更を加えることが可能である。
例えば、実施形態ではパネル部を手に持って移動するようにしたが、第２ピン１４を第２誘導溝１２の開放端３０から抜き出す操作までをアクチュエータを用いて自動で行わせるようにしてもよい。アクチュエータとパネル部とは、着脱自在に係合できる構成としておけば、パネル部を本体部から離脱させることも容易である。
また、２個のブロック８の対向面に誘導溝１１，１２を形成して、その間に配置したピン１３，１４の両端部が誘導溝１１，１２に係合する構成としたが、本体部の両側部に１個ずつブロックを配置するとともに、２本のピンをパネル部の両側部にそれぞれ支持し、これらブロック表面の誘導溝に別々にピンが係合する構成としてもよい。
あるいは、ブロック８の誘導溝をブロック８の厚さ方向に貫通する長孔状のものとしてもよい。この場合、ピンはブロック８の厚さ方向における誘導溝（長孔）の長さ（ブロック８の厚さ）よりも長いものを用い、ブロック８を貫通するように誘導溝にピンを係合させ、その両端部をステーにより保持するようにしてもよい。このように形成することで一つのブロックと一対のピンでヒンジ装置を構成することができる。
また、実施形態とは逆に、本体部にピンを形成し、パネル部に誘導溝を形成してもよい。
【符号の説明】
【００３３】
１…ヒンジ装置、２…筐体、３…本体部（第１部材）、４…パネル部（第２部材）、５…ロック装置、６…フック、７…ロック片、８…ブロック、９…ブラケット、１０…ロック解除ボタン、１１…第1誘導溝、１２…第２誘導溝、１３…第１ピン、１４…第２ピン、１５…ステー、１６…第１端部、１７…第２端部、２１，２３…円弧溝部、２２，２４…直線溝部、２５，２６…折り返し溝部、２７…回動端部、２８…端部、２９…逃がし溝部、３０…開放端、３５…逃がし溝部、３６…屈曲溝部、３７…延長溝部、３８…開放端
【図１】
2013256769.tif 000003
【図２】
2013256769.tif 000004
【図３】
2013256769.tif 000005
【図４】
2013256769.tif 000006
【図５】
2013256769.tif 000007
【図６】
2013256769.tif 000008
【図７】
2013256769.tif 000009
【図８】
2013256769.tif 000010
【図９】
2013256769.tif 000011
【図１０】
2013256769.tif 000012
【図１１】
2013256769.tif 000013
【図１２】
2013256769.tif 000014